(57)【要約】【課題】  回転体を覆うカバーを使用しなくても回転体に受入れられた遊技球を落下させないで運ぶことができるパチンコ機を実現する。【解決手段】  回転体１９は縦断面の形状がＵ字形状の箱状に形成されており、上方開口部１９ａの下部空間には、球受凹部材収容室１９ｅが形成されており、そこに球受凹部材２０が収容されている。球受凹部材２０は、回転体１９の姿勢に関係なく常に遊技球を保持した状態で揺動自在に軸止されている。このため、上方開口部１９ａから受入れられ、球受凹部材２０により保持された遊技球Ｐは、回転体１９の回転に伴って第３種始動口１３ｃまで運ばれる。従って、回転体を覆うカバーを使用しなくても回転体に受入れられた遊技球を落下させないで運ぶことができる。【選択図】  図６
2006149827.tif 000002
【特許請求の範囲】
【請求項１】
回転軌跡が遊技盤の盤面と対向するように回転する回転体と、
この回転体に揺動可能に設けられており、前記遊技盤の遊技領域を流下する遊技球を保持可能な揺動部材と、
この揺動部材の移動経路上に設けられており、前記揺動部材に保持されている遊技球が流出可能な流出口とを備えており、
前記揺動部材は、遊技球が保持されていない状態では、前記回転体の回転位置に関係なく遊技球を保持可能な状態に維持され、かつ、遊技球が保持された状態では、前記回転体の回転位置に関係なく遊技球が保持された状態が維持されるように構成されていることを特徴とするパチンコ機。
【請求項２】
前記回転体の上方に、遊技球が通過可能な空間を有する部材を上下に移動可能に備えており、
前記回転体の周面は、前記空間から下方に一部を露出させた遊技球を前記空間から離脱しないように支持し、
前記部材は、前記遊技球が前記空間から離脱しないように前記周面によって支持された状態を維持しながら、前記回転体の回転に伴って上下に移動することを特徴とする請求項１に記載のパチンコ機。
【請求項３】
前記回転体は、回転中心から周面までの直線距離が複数種類存在する形状に形成されており、
前記揺動部材は、前記回転体の周面に揺動可能に設けられていることを特徴とする請求項１または請求項２に記載のパチンコ機。
【請求項４】
前記回転体の下方には、前記揺動部材に保持されている遊技球が前記流出口から流出したことを条件として入賞口を開閉する入賞装置が備えられたことを特徴とする請求項１ないし請求項３のいずれか１つに記載のパチンコ機。
【請求項５】
前記回転体の周囲が描く軌跡間の最大幅は、少なくとも前記入賞口の横幅を有することを特徴とする請求項１ないし請求項４のいずれか１つに記載のパチンコ機。
【請求項６】
前記回転体の回転中心は偏心していることを特徴とする請求項１ないし請求項５のいずれか１つに記載のパチンコ機。
【発明の詳細な説明】
【技術分野】
【０００１】
この発明は、遊技球を所定の時間間隔で入賞させる構成の回転入賞装置を備えた、いわゆる権利物タイプのパチンコ機に関する。
【背景技術】
【０００２】
図９は、上記権利物タイプのパチンコ機に備えられた遊技盤の正面説明図であり、図１０は、図９に示すパチンコ機に備えられた回転入賞装置（回転チャッカともいう）の正面拡大図である。遊技盤５００へ発射された遊技球が始動口５０１に入賞すると、図柄表示装置５０２が横方向に配列された３つの表示領域にて複数の図柄をそれぞれ変動表示する。そして、変動開始から所定時間経過すると各表示領域にて所定の図柄が停止し、各停止した図柄の組合せが特定の態様（例えば３３３など）に揃うと特別入賞口５０３が所定の開閉パターンで開閉する。特別入賞口５０３の内部には、Ｖ入賞口５０４が設けられており、そのＶ入賞口５０４に入賞すると、権利が発生する。
そして、遊技球を右打ちし、遊技球が回転入賞装置６００に設けられた遊技球待機部６０４（図１０）に停留すると、その遊技球は、常時回転している回転体６０１の周面に形成された凹部６０３に受入れられる。続いて、その遊技球は、受入れられた遊技球が落下しないように円筒形状のカバー内に収容された回転体６０１によって運ばれ、回転体６０１の裏面側に設けられた第３種始動口６０２から流出すると、所定の検出スイッチにより検出され、可動翼片６０５，６０５が開放動作し、大入賞口６０６，６０６が開口する。大入賞口の開口から所定時間経過することの条件、大入賞口へ所定個数入賞することの条件のどちらかが満足されると可動翼片６０５，６０５が閉成動作し、大入賞口６０６，６０６が閉口する。大入賞口の開口から閉口までを１ラウンドとして所定数のラウンドを実行可能であり、所定数のラウンドが実行されると大当り遊技が終了する。また、大当り遊技中に図柄が特定の態様に揃い、Ｖ入賞口５０４に入賞した場合も大当り遊技が終了となる。
【０００３】
【特許文献１】特開２００２−３０１２１７号公報（第７９〜８１段落、図１、図２）
【発明の開示】
【発明が解決しようとする課題】
【０００４】
しかし、前述した従来のパチンコ機に備えられた回転体６０１は、凹部６０３に受入れられた遊技球が落下しないようにするために回転体を覆うカバーが必要であるため、回転体の縦断面の形状が円形に限定されてしまうという問題がある。また、回転体６０１は、縦断面形状が円形であるため、外形が変化しないので、回転体が回転しているという実感がなく、演出効果に乏しいという問題もある。
【０００５】
そこでこの発明は、回転体を覆うカバーを使用しなくても回転体に受入れられた遊技球を落下させないで運ぶことができるパチンコ機を実現することを目的とする。
【課題を解決するための手段】
【０００６】
この発明は、上記目的を達成するため、請求項１ないし請求項６に記載の発明では、回転軌跡が遊技盤（５）の盤面と対向するように回転する回転体（１９）と、この回転体に揺動可能に設けられており、前記遊技盤の遊技領域を流下する遊技球（Ｐ）を保持可能な揺動部材（２０）と、この揺動部材の移動経路上に設けられており、前記揺動部材に保持されている遊技球が流出可能な流出口（１３ｃ）とを備えており、前記揺動部材は、遊技球が保持されていない状態では、前記回転体の回転位置に関係なく遊技球を保持可能な状態に維持され、かつ、遊技球が保持された状態では、前記回転体の回転位置に関係なく遊技球が保持された状態が維持されるように構成されているという技術的手段を用いる。
【０００７】
請求項２に記載の発明では、請求項１に記載のパチンコ機（１）において、前記回転体（１９）の上方に、遊技球（Ｐ）が通過可能な空間（Ｓ１）を有する部材（１８ａ，１８ｂ）を上下に移動可能に備えており、前記回転体の周面（１９ｂ）は、前記空間から下方に一部を露出させた遊技球を前記空間から離脱しないように支持し、前記部材は、前記遊技球が前記空間から離脱しないように前記周面によって支持された状態を維持しながら、前記回転体の回転に伴って上下に移動するという技術的手段を用いる。
【０００８】
請求項３に記載の発明では、請求項１または請求項２に記載のパチンコ機（１）において、前記回転体（１９）は、回転中心（１９ｇ）から周面（１９ｂ）までの直線距離が複数種類存在する形状に形成されており、前記揺動部材（２０）は、前記回転体の周面に揺動可能に設けられているという技術的手段を用いる。
【０００９】
請求項４に記載の発明では、請求項１ないし請求項３のいずれか１つに記載のパチンコ機（１）において、前記回転体（１９）の下方には、前記揺動部材（２０）に保持されている遊技球（Ｐ）が前記流出口（１３ｃ）から流出したことを条件として入賞口（７２）を開閉する入賞装置（７０）が備えられたという技術的手段を用いる。
【００１０】
請求項５に記載の発明では、請求項１ないし請求項４のいずれか１つに記載のパチンコ機（１）において、前記回転体（１９）の周囲が描く軌跡間の最大幅は、少なくとも前記入賞口（７２）の横幅を有するという技術的手段を用いる。
【００１１】
請求項６に記載の発明では、請求項１ないし請求項５のいずれか１つに記載のパチンコ機（１）において、前記回転体（１９）の回転中心（１９ｇ）は偏心しているという技術的手段を用いる。
なお、上記の括弧内の符号は、後述する実施形態において使用する符号と対応するものである。
【発明の効果】
【００１２】
（請求項１に係る発明の効果）
遊技盤の遊技領域を流下する遊技球を保持可能な揺動部材は、遊技球が保持されていない状態では、回転体の回転位置に関係なく遊技球を保持可能な状態に維持され、かつ、遊技球が保持された状態では、回転体の回転位置に関係なく遊技球が保持された状態が維持されるように構成されているため、回転体を覆うカバーを使用しなくても、保持されている遊技球を回転体の回転に伴って運ぶことができる。
【００１３】
（請求項２に係る発明の効果）
遊技球が通過可能な空間を有する部材は、その空間から下方に一部を露出させた遊技球が空間から離脱しないように回転体の周面によって支持された状態を維持しながら、回転体の姿勢の変化に伴って上下に移動することができる。
従って、回転体が円形以外の縦断面形状であり、回転することにより周面が上下動する回転体であっても、回転体の周面上に停留している遊技球が停留位置から流出しないようにすることができる。
つまり、円形以外の縦断面形状の回転体を使用することができるため、回転体が回転しているという実感を出すことができるので、演出効果を高めることができる。
【００１４】
（請求項３に係る発明の効果）
回転体は、回転中心から周面までの直線距離が複数種類存在する形状であるため、縦断面が円形の回転体よりも、回転しているという実感を出すことができるので、演出効果を高めることができる。
しかも、揺動部材は、回転体の周面に揺動可能に設けられているため、揺動部材が遊技球を保持している状態を見易い。また、揺動部材と上記部材の空間との距離が近いため、周面上に支持されて部材の空間で停留している遊技球が揺動部材に受入れられるときの衝撃を和らげることができるので、揺動部材が必要以上に揺動して遊技球の保持を失敗するおそれがない。
【００１５】
（請求項４に係る発明の効果）
回転体を覆うカバーを使用しなくても、揺動部材に保持されている遊技球を落下させることなく、流出口まで運び、その流出口から流出させることができるため、入賞口を確実に開閉させることができるので、入賞口の開閉が不確実なことによる遊技者の不利益というものが発生するおそれがない。
【００１６】
（請求項５に係る発明の効果）
回転体の周囲が描く軌跡間の最大幅は、回転体の下方に備えられた入賞装置の入賞口の横幅を有するため、回転体の上方から入賞口へ流下する遊技球の入賞経路を入賞口の上方全域に亘って制限することができるので、スリルのある遊技を楽しむことができる。
【００１７】
（請求項６に係る発明の効果）
回転体の回転中心は偏心しているため、回転中心が偏心しておらず縦断面が円形の回転体とは異なる特徴のある動きをすることができる。
従って、回転体が回転しているという実感を強く出すことができるので、演出効果をより一層高めることができる。また、回転体の周囲が描く軌跡は左右に変化するため、回転体の下方に入賞口が設けられている場合は、回転体の回転に伴って入賞経路を制限する範囲が左右に変化するので、スリルのある遊技を楽しむことができる。
【発明を実施するための最良の形態】
【００１８】
＜第１実施形態＞
この発明の第１実施形態について説明する。
［全体の主要構成］
まず、この実施形態のパチンコ機の主要構成について図１および図２を参照して説明する。図１は、そのパチンコ機の外観を正面から見た説明図である。図２は図１に示すパチンコ機に備えられた遊技盤を正面から見た概略説明図である。
図１に示すように、パチンコ機１には、外殻を構成する前枠２が設けられており、その前枠２にはガラス枠３が開閉可能に取付けられている。ガラス枠３の内側には遊技盤５が設けられており、前枠２の前面右下方には、遊技盤５へ遊技球を発射する発射装置を操作する発射レバー８０が回動可能に取付けられている。遊技盤５の下方には、払出された賞球や貸球を収容する上受け皿６が設けられており、上受け皿６の下方には、上受け皿６の収容可能数を超えて流下した賞球を収容する下受け皿７が設けられている。
【００１９】
前枠２の左側面には、プリペイドカードユニット６０が接続されており、プリペイドカードユニット６０には、プリペイドカードを挿入するカード挿入口６１が設けられている。カード挿入口６１の内部には、プリペイドカードに記録された情報（残り度数）を読取るとともに、その情報を貸球要求の数に応じて書換え、残り度数を算出する装置が設けられている。上受け皿６の前面には、遊技球の貸出しを行う場合に押す貸出ボタン５８と、カード挿入口６１に挿入されているプリペイドカードを取出し可能な位置まで返却する（戻す）ために押す返却ボタン５９と、プリペイドカードユニット６０により読取られたプリペイドカードの残り度数などを表示する度数表示部５７とが備えられている。
【００２０】
［遊技盤の主要構成］
次に、遊技盤５の主要構成について図２を参照して説明する。図２は遊技盤５の主要構成を示す正面図である。
遊技盤５には、センターケース３０が備えられている。センターケース３０には、複数の普通図柄を変動表示する普通図柄表示装置３１が備えられている。普通図柄表示装置３１は、横方向に３つの表示領域を有し、各表示領域において複数の普通図柄（例えば０〜６の７種類の普通図柄）からなる図柄列をそれぞれ変動表示（スクロール表示ともいう）する。センターケース３０の下方には普通図柄始動口３２が、左方には普通図柄始動口３８がそれぞれ設けられている。遊技盤５に発射された遊技球が普通図柄始動口３２または普通図柄始動口３８に入賞すると普通図柄表示装置３１が普通図柄の変動表示を開始する。遊技球が普通図柄始動口３２または普通図柄始動口３８に入賞したときに、当りかハズレかの判定（以下、当り判定という）が行われる。普通図柄表示装置３１は、普通図柄の変動を開始してから所定時間経過後に変動を停止し、当り判定の結果が当りであった場合は各表示領域に停止図柄として当り普通図柄を表示し、ハズレであった場合はハズレ普通図柄を表示する。
普通図柄の変動中に遊技球が普通図柄始動口３２に入賞したときは、普通図柄の変動開始が保留され、その保留数は、普通図柄表示装置３１の上方に設けられた保留数表示装置３６によって表示される。この実施形態では、保留数表示装置３６は、４個のＬＥＤを備えており、その点灯数により保留数を表示する。つまり、保留数表示装置３６は、最大４個の保留数を表示する。普通図柄表示装置３１は、普通図柄の変動開始から変動終了までを１回の変動表示とした場合に、保留数と同じ回数の変動表示を行う。
【００２１】
普通図柄始動口３２の下方には、普通図柄表示装置３１が停止図柄として当り普通図柄を表示したときに作動する普通電動役物４０が設けられている。普通電動役物４０は、当り普通図柄が停止表示されたときに開放する開閉部材４１を備えている。この実施形態では、開閉部材４１は、正面から見て下端を支点にして上端を開閉する翼形状に形成されている。開閉部材４１，４１間から入賞した遊技球の流下経路には、入賞領域として一般領域および特別領域（図示せず）が形成されている。また、その流下経路には、特別領域に入賞した遊技球を検出する特別領域スイッチ（図７において符号４２で示す）と、一般領域または特別領域に入賞した遊技球を検出するカウントスイッチ（図７において符号４４で示す）が設けられている。
センターケース３０の右方には、回転入賞装置１０が設けられており、その下方には、第３種特別電動役物（以下、特別電動役物という）７０が設けられている。特別電動役物７０は大入賞口７２を開閉する開閉部材７１を備えており、この実施形態では、開閉部材７１は、閉成時に正面から見ると横長の板状に形成されている。遊技球が普通電動役物４０の特別領域に入賞すると、大当りを発生させる権利が発生し、遊技球が回転入賞装置１０に受入れられ、回転入賞装置１０の裏面側に設けられた第３種始動口（図３において符号１３ｃで示す）に入賞すると大当りが発生し、開閉部材７１が開放され、大入賞口７２が開口する。
また、遊技盤５には、左入賞口３３、右下入賞口３４、左下入賞口３５、風車４、アウト口８などが設けられている。さらに、遊技盤５には、遊技球の流下経路を変化させるための多くの遊技釘５ａが打ち込まれている（図２では遊技釘５ａの一部のみを示す）。
【００２２】
［回転入賞装置１０の構造］
次に、回転入賞装置１０の構造について図３ないし図６を参照して説明する。図３は、回転入賞装置の分解斜視図である。図４は、図３に示す回転入賞装置の完成斜視図である。図５は、回転体の姿勢の一例を示す正面説明図および縦断面図である。図５（Ａ）は図４の正面説明図であり、図５（Ｂ）は図５（Ａ）のＡ−Ａ線矢視縦断面説明図である。図５（Ｃ）は回転体の開口部が真下を向いた状態の正面説明図であり、図５（Ｄ）は図５（Ｃ）のＢ−Ｂ線矢視断面説明図である。図６は、回転体の姿勢の変化を示す説明図である。図６（Ａ）は回転体の開口部が真上を向いた状態を示し、図６（Ｂ）は回転体の開口部が右側を向いた状態を示し、図６（Ｃ）は回転体の開口部が真下を向いた状態を示し、図６（Ｄ）は回転体の保持部が第３種始動口と重なった状態を示す。なお、以下の説明では、パチンコ機１にて遊技を行う遊技者に向く方向を前方、遊技者に向く面を前面とし、その逆を後方、後面とする。
【００２３】
回転入賞装置１０は、回転体１９と、この回転体１９の内部に揺動自在に軸支される球受凹部材２０と、基板１３と、昇降部材１８と、モータ１６とを備える。回転体１９は、縦断面の形状がＵ字形状の箱状に形成されており、周面１９ｂを構成する上面１９ｄに上方開口部１９ａが開口形成されている。上面１９ｄは回転体１９の回転軌跡と対応するように緩やかに上方に膨らんだ円弧形状に形成されている。回転体１９の回転中心１９ｇは偏心しており、後面の下端近傍から後方へ回転体軸１９ｆが突出形成されている。この回転体軸１９ｆには、モータ１６のモータ軸１６ａが挿入固定される。
上方開口部１９ａの下部の空間には、球受凹部材収容室１９ｅが形成されており、そこに球受凹部材２０が収容されている。球受凹部材２０は、一方の端面が開口された円筒形状の部材を中心軸に沿って切断した形状に形成されており、開口された端部が後方になり、周面２０ｂが下向きになるように配置されている。球受凹部材２０の内面には、遊技球の外面に対応した形状の保持部２０ｄが形成されている。球受凹部材２０の前壁部２０ａの上端中央には、支軸２０ｃが前方へ突出して設けられている。回転体１９の前面１９ｃの上端近傍には、支軸２０ｃを挿入するための支軸孔１９ｈが前後方向に貫通形成されている。球受凹部材２０は、球受凹部材収容室１９ｅの内部において支軸２０ｃを支軸孔１９ｈへ挿入することにより、支軸孔１９ｈを中心にして揺動自在に取付けられている。また、支軸２０ｃは、保持部２０ｄに保持された遊技球の重心の方が低くなる位置に設けられており、保持部２０ｄに保持された遊技球の自重によって球受凹部材２０が回動し、遊技球が保持部２０ｄから落下しないように工夫されている。
【００２４】
また、上方開口部１９ａから保持部２０ｄまでの深さは、保持部２０ｄにより保持された遊技球の頭部が上方開口部１９ａから露出しない深さに設定されている。また、回転体１９の裏面には、保持部２０ｄにより保持された遊技球を第３種始動口１３ｃへ流出させるための裏方開口部１９ｉが開口形成されている。裏方開口部１９ｉは、回転体１９が回転し、球受凹部材収容室１９ｅが第３種始動口１３ｃと重なる位置に到達するまでは、基板１３の前面によって塞がれているため、保持部２０ｄに保持された遊技球が外部へ流出することがない。
この回転入賞装置１０を遊技盤５の盤面に取付けるための基板１３は、正面から見て縦長の長円形状に形成されており、中心からやや下方に偏心した位置には、回転体１９の回転体軸１９ｆを挿通するための回転体軸孔１３ｄが前後方向に貫通形成されている。回転体軸孔１３ｄの左斜め上方には、遊技球が流出可能な大きさに形成された第３種始動口１３ｃが前後方向に貫通形成形成されている。第３種始動口１３ｃは、回転体１９の球受凹部材２０の軌道上に形成されており、回転体１９が１回転する間に第３種始動口１３ｃと球受凹部材２０とが１回重なるようになっている。つまり、回転体１９が１回転する間に球受凹部材２０に保持されている遊技球が第３種始動口１３ｃから流出可能になっている。第３種始動口１３ｃから流出した遊技球の流下経路には、その遊技球を検出する第３種始動口スイッチ（図７において符号１３ｈで示す）が設けられている。基板１３の四隅には、遊技盤５の盤面に取付けるためのネジを挿通するネジ挿通孔１３ｅがそれぞれ前後方向に貫通形成されている。
【００２５】
基板１３には、縦長の長孔１３ａ，１３ｂが平行に形成されており、その中間に長孔１３ｉが平行に形成されている。基板１３の後面には、昇降部材１８が昇降自在に備えられており、昇降部材１８は、縦断面が横長の長方形に形成された板状の軸取付部材１８ｃと、その前面から前方へ突出形成された球停留部材１８ａ，１８ｂと、ローラ軸１８ｅと（図５（Ｂ））、このローラ軸１８ｅの先端に回転自在に取付けられた回転体位置検知ローラ（以下、検知ローラという）１８ｄとを備える。球停留部材１８ａ，１８ｂは、それぞれ基板１３の長孔１３ａ，１３ｂから前方へ昇降自在に突出しており、ローラ軸１８ｅは長孔１３ｉから前方へ昇降自在に突出している。球停留部材１８ａ，１８ｂ間に形成された空間Ｓ１は、遊技球が通過可能に形成されている。この実施形態では、球停留部材１８ａ，１８ｂは、それぞれ棒状に形成されている。
検知ローラ１８ｄは、長孔１３ｉから突出したローラ軸１８ｅに回転自在に取付けられている。検知ローラ１８ｄは長孔１３ｉの幅よりも大きい直径に形成されており、長孔１３ｉからの抜け止めが図られている。図５（Ｂ）に示すように、検知ローラ１８ｄの後面と昇降部材１８の軸取付部材１８ｃの前面とにより基板１３を挟み込んだ状態に組み付けられているため、昇降部材１８は、昇降時に前後にぶれることがない。また、長孔１３ａ，１３ｂの幅は、球停留部材１８ａ，１８ｂの直径よりも僅かに広く形成されているため、昇降部材１８は、滑らかに昇降できるので、水平姿勢が維持され、横方向にぶれることがない。
検知ローラ１８ｄは、図４に示すように、回転体１９の上方開口部１９ａが真上を向いたときに、上方開口部１９ａの後方の上面１９ｄと当接する位置に取付けられている。
【００２６】
モータ１６のモータ軸１６ａの先端部分は、非円形に形成されており、回転体１９の回転体軸１９ｆの内面は、モータ軸１６ａの先端部分の外径と合致する形状に形成されている。つまり、モータ軸１６ａの回転時に回転体１９が空転しないようになっている。また、モータ１６の後部周面には、モータ１６を遊技盤５の裏面側の所定個所に固定するための固定部材１６ｂが設けられており、固定部材１６ｂには、ネジを挿通するネジ挿通孔１６ｃが前後方向に貫通形成されている（実際には図示されている固定部材１６ｂとは反対側に固定部材１６ｂがもう１つ設けられており、同様にその固定部材１６ｂにはネジ挿通孔１６ｃが前後方向に貫通形成されている）。
モータ１６は遊技盤５の裏面側に取付けられており、モータ軸１６ａが遊技盤５の裏面から表面に挿通され、それに回転体１９が固定されている。
【００２７】
［回転入賞装置１０の動作］
次に、回転入賞装置１０の動作を説明する。回転体１９は、モータ１６の駆動により常時一定速度で、回転軌跡が遊技盤５の盤面と対向するように右回転しているとする。図６に示すように、回転体１９が回転すると、位置検知ローラ１８ｄは、回転体１９の周面１９ｂを倣うように回転し、周面１９ｂの上下動に追従する。このため、回転体１９の周面１９ｂの位置が上昇すると、それに伴って球停留部材１８ａ，１８ｂも上昇する。このため、球停留部材１８ａ，１８ｂと回転体１９の周面１９ｂとの位置関係が変化しないので、球停留部材１８ａ，１８ｂ間の空間Ｓ１に停留している遊技球が空間Ｓ１から離脱することがない。また、回転体１９の周面１９ｂの高さが低くなるに従って検知ローラ１８ｄが、昇降部材１８の自重によって下降し、それと同時に球停留部材１８ａ，１８ｂも下降する。このため、球停留部材１８ａ，１８ｂと回転体１９の周面との位置関係が変化しないので、球停留部材１８ａ，１８ｂ間の空間Ｓ１に停留している遊技球が空間Ｓ１から離脱することがない。
つまり、検知ローラ１８ｄは、回転する回転体１９の周面１９ｂに倣って回転するとともに昇降するため、球停留部材１８ａ，１８ｂも回転体１９の周面１９ｂの変化に追従して昇降するので、回転体１９がどのような姿勢に変化しても、球停留部材１８ａ，１８ｂ間の空間Ｓ１に停留している遊技球Ｐが空間Ｓ１から離脱することがない。
また、球受凹部材２０は、揺動自在に軸支されており、その揺動中心よりも、保持されている遊技球の重心の方が低いため、回転体１９の回転により、球受凹部材２０が左右に揺動した場合であっても、元の姿勢に復帰するので、図６に示すように、回転体１９の姿勢に関係なく、同じ姿勢を維持し、遊技球Ｐを保持し続ける。
そして、球受凹部材２０が第３種始動口１３ｃに到達し、球受凹部材２０の裏方開口部１９ｉと第３種始動口１３ｃとが重なると、球受凹部材２０に保持されている遊技球Ｐが第３種始動口１３ｃへ流出する。なお、球受凹部材２０が第３種始動口１３ｃに到達するまでの間は、球受凹部材２０の裏方開口部１９ｉは基板１３の前面によって塞がれているため、裏方開口部１９ｉから遊技球が流出することがない。
【００２８】
［パチンコ機１の電気的構成］
次に、パチンコ機１の主な電気的構成についてそれをブロックで示す図７を参照して説明する。
パチンコ機１には、主制御基板１００が設けられており、その主制御基板１００には、マイクロプロセッサ１１０が搭載されている。マイクロプロセッサ１１０は、メインＣＰＵ１１２と、ＲＯＭ１１４と、ＲＡＭ１１６とを備える。メインＣＰＵ１１２は、特別領域スイッチ（ＳＷ）４２または第３種始動口スイッチ（ＳＷ）１３ｈがオンしたか否かの判定、普通図柄の当りかハズレかの判定、普通電動役物ソレノイド（ＳＬ）４３の制御、大入賞口ソレノイド（ＳＬ）７４の制御、モータ１６の制御、入賞の検出、入賞数の計数などを実行する。
ＲＯＭ１１４には、メインＣＰＵ１１２が各種制御、判定および検出などを実行するための各種制御プログラム、制御プログラム実行時に参照する各種テーブルなどが記録されている。ＲＡＭ１１６は、保留数や入賞数などを記憶する記憶領域と、メインＣＰＵ１１２の処理結果などの遊技中に発生する各種データおよびＲＯＭ１１４から読出された制御プログラムなどを一時的に格納する記憶領域と、電源遮断時に停電直前の遊技状態を示すデータなどをバックアップして記憶するバックアップ領域とを備える。
主制御基板１００には、次に記載するものが電気的に接続されている。特別領域スイッチ（ＳＷ）４２、第３種始動口スイッチ（ＳＷ）１３ｈ、普通図柄表示装置３１を制御する図柄制御基板３９、遊技中にスピーカ（図示せず）から出力される効果音などを制御する音声制御基板６７、保留数表示装置３６や装飾用ＬＥＤやランプ類などの点灯・点滅を制御するランプ制御基板３００、電源基板６４、賞球および貸球の払出しなどを制御する払出制御基板２００、当りの発生や賞球払出数などに関する遊技盤情報をパチンコホールの管理室などに設けられたホールコンピュータへ送信するための遊技枠情報端子基板５２、盤面中継基板５１、遊技枠中継基板５３である。
【００２９】
払出制御基板２００には、主制御基板１００から送信されてくる賞球コマンド、プリペイドカードユニット６０からＣＲ接続基板５６を介して送信されてくる貸球要求信号などを受信するマイクロプロセッサ２１０が搭載されており、マイクロプロセッサ２１０には、賞球および貸球の払出しなどの制御を実行するサブＣＰＵ２１２と、このサブＣＰＵ２１２が賞球および貸球の払出しなどの制御を実行するための各種制御プログラムが記録されたＲＯＭ２１４と、払出すべき賞球または貸球の総数やサブＣＰＵ２１２が各種制御プログラムを実行する際にＲＯＭ２１４から読出された制御プログラムなどを一時的に格納するＲＡＭ２１６とが搭載されている。また、ＲＡＭ２１６は、電源遮断時に、入賞数や未払いの賞球総数などを示すデータをバックアップして記憶するバックアップ領域を備える。
また、払出制御基板２００には、電源基板６４、発射モータ８３を駆動するための発射モータ駆動基板８１、遊技枠情報端子基板５２および払出中継基板５５が電気的に接続されている。発射モータ駆動基板８１には、発射モータ８３、発射モータ駆動基板８１から発射モータ８３へ駆動信号を出力させるための発射スイッチ（ＳＷ）８２が電気的に接続されている。
【００３０】
遊技枠中継基板５３には、下受け皿７が遊技球で満杯になったことを検出する下皿満杯検出スイッチ（ＳＷ）６５、球切れを検出する球切れ検出スイッチ（ＳＷ）６６およびセンサ中継基板５４が電気的に接続されている。センサ中継基板５４は、払出装置６２に備えられた払出球を検出する前部払出センサ６２ａ、後部払出センサ６２ｂおよび払出中継基板５５と電気的に接続されている。払出中継基板５５には、遊技球の払出しを行う部材を駆動する払出モータ６２ｃが電気的に接続されている。
盤面中継基板５１には、普通電動役物ソレノイド（ＳＬ）４３、普通図柄始動口３２を通過した遊技球を検出する普通図柄始動口スイッチ（ＳＷ）３２ａ、普通図柄始動口３８を通過した遊技球を検出する普通図柄始動口スイッチ（ＳＷ）３８ａ、カウントスイッチ（ＳＷ）４４、大入賞口７２に入賞した遊技球を検出する大入賞口スイッチ（ＳＷ）７３、左入賞口３３に入賞した遊技球を検出する左入賞口スイッチ（ＳＷ）３３ａ、右下入賞口３４に入賞した遊技球を検出する右下入賞口スイッチ（ＳＷ）３４ａ、左下入賞口３５に入賞した遊技球を検出する左下入賞口スイッチ（ＳＷ）３５ａおよび大入賞口中継基板５０が電気的に接続されている。
【００３１】
大入賞口中継基板５０には、モータ１６と、大入賞口ソレノイド（ＳＬ）７４とが電気的に接続されている。電源基板６４は、ＣＲ接続基板５６と電気的に接続されており、ＣＲ接続基板５６には、度数表示部５７（図１）に残り度数を表示するための回路が搭載された度数表示基板５７ａと、プリペイドカードユニット６０とが電気的に接続されている。度数表示基板５７ａには、貸出ボタン５８と、返却ボタン５９と、貸出ボタンランプ５８ａとが電気的に接続されている。
電源基板６４は、ＡＣ２４Ｖ（５０Ｈｚ／６０Ｈｚ）の主電源６３から電源の供給を受け、各基板および装置へ動作電源を供給する。図示しないが、電源基板６４には、パチンコ機１の電源のＯＮ・ＯＦＦを行う電源スイッチ（ＳＷ）と、ＲＡＭ１１６，２１６のバックアップ領域に記憶されているデータをクリアするためのＲＡＭクリアスイッチとが設けられている。
【００３２】
［主な遊技の流れ］
次に、主な遊技の流れを説明する。遊技盤５へ発射された遊技球が普通図柄始動口３２または普通図柄始動口３８に入賞し、普通図柄始動口スイッチ３２ａまたは普通図柄始動口スイッチ３８ａにより検出されると、普通図柄表示装置３１が横方向に配列された３つの表示領域にて複数の普通図柄をそれぞれ変動表示する。また、メインＣＰＵ１１２は、遊技球が普通図柄始動口スイッチ３２ａまたは普通図柄始動口スイッチ３８ａにより検出されたときに当りかハズレかを判定する。そして、普通図柄表示装置３１は、普通図柄の変動開始から所定時間経過すると、メインＣＰＵ１１２の判定結果に対応する普通図柄を停止図柄として各表示領域に表示する。ここで、当り普通図柄が表示されると、普通電動役物ソレノイド４３が駆動され、開閉部材４１，４１が開放される。そして、遊技球が特別領域に入賞し、特別領域スイッチ４２により検出されると、大当りが発生する権利が発生する。そして、遊技者は、遊技球を遊技盤５の右側へ発射する、いわゆる右打ちを行う。このとき、遊技球が球停留部材１８ａ，１８ｂ間の空間Ｓ１に流入し、遊技球の下部が空間Ｓ１から下方に露出し、回転体１９の開口部１９ａが形成されていない周面１９ｂ上に支持され、空間Ｓ１で停留した状態になったとする。
【００３３】
そして、回転体１９が右回転し、開口部１９ａと空間Ｓ１とが上下に対応した位置関係となると、停留していた遊技球が開口部１９ａから受入れられ、球受凹部材２０の保持部２０ｄに保持される。
そして、回転体１９がさらに右回転し、裏方開口部１９ｉが第３種始動口１３ｃと前後方向において重なり連通すると、保持部２０ｄに保持されている遊技球が第３種始動口１３ｃへ流出し、第３種始動口スイッチ１３ｈにより検出されると大当りが発生し、大入賞口７２が開口する。このとき、回転体１９が回転すると、回転体１９の上方から大入賞口７２へ流下する遊技球が回転体１９に衝突し、入賞が邪魔される。回転体１９が回転するときにその周囲が描く軌跡は、開口部１９ａが形成された上面１９ｄが描く軌跡が最外縁となるから、開口部１９ａが右方を向いたときの上面１９ｄと、左方を向いたときの上面１９ｄとの距離が、回転体１９が描く軌跡の最大幅となり、この最大幅は、少なくとも大入賞口７２の幅を有する。
従って、回転体１９が１回転すると、大入賞口７２への入賞経路が大入賞口７２の上方全域に亘って制限される。
また、図６（Ｂ）に示すように、大入賞口７２が開口しているときに、回転体１９がその開口部１９ａを右方に向けた姿勢に変化すると、大入賞口７２の右側領域への入賞経路が制限される。また、回転体１９がその開口部１９ａを左方に向けた姿勢に変化すると、大入賞口７２の左側領域への入賞経路が制限される。また、回転体１９がその開口部１９ａを上方または下方に向けた姿勢に変化すると、大入賞口７２の中央領域への入賞経路が制限される。つまり、回転体１９の回転に伴って、大入賞口７２への入賞経路を制限する範囲が刻々と変化するため、非常に変化に富んだ（スリルのある）遊技を楽しむことができる。
【００３４】
そして、大入賞口７２の開口から所定時間経過すると、あるいは、大入賞口７２へ所定個数入賞すると、大入賞口ソレノイド７４が駆動停止され、大入賞口７２が閉口する。続いて、再び遊技球が開口部１９ａから受入れられて球受凹部材２０に保持され、第３種始動口１３ｃから流出し、第３種始動口スイッチ１３ｈによって検出されると再度大入賞口７２が開口する。このように、大入賞口７２の開口から閉口までを１ラウンドとして所定数のラウンドを実行可能であり、所定数のラウンドが実行されると大当り遊技が終了する。また、大当り遊技中に停止図柄として当り普通図柄が表示され、特別領域に入賞した場合も大当り遊技が終了となる。なお、回転体１９が１回転に要する時間は、大入賞口７２に規定数の遊技球が入賞するために十分な時間に設定されているため、保持部１１ｍに保持されている遊技球Ｐがラウンド中に第３種始動口１３ｃへ流出してしまい、ラウンドが途中で中断し、次のラウンドが開始されてしまうことがない。
【００３５】
［実施形態の効果］
（１）以上のように、上述の実施形態のパチンコ機１を使用すれば、遊技盤５の遊技領域を流下する遊技球Ｐを保持可能な球受凹部材２０は、遊技球Ｐが保持されていない状態では、回転体１９の回転位置に関係なく遊技球Ｐを保持可能な状態に維持され、かつ、遊技球Ｐが保持された状態では、回転体１９の回転位置に関係なく遊技球Ｐが保持された状態が維持されるように構成されているため、回転体１９を覆うカバーを使用しなくても、保持されている遊技球Ｐを回転体１９の回転に伴って運ぶことができる。
【００３６】
（２）また、遊技球Ｐが通過可能な空間Ｓ１を有する球停留部材１８ａ，１８ｂは、その空間Ｓ１から下方に一部を露出させた遊技球Ｐが空間Ｓ１から離脱しないように回転体１９の周面１９ｂによって支持された状態を維持しながら、回転体１９の姿勢の変化に伴って上下に移動することができる。
従って、回転体１９のように円形以外の縦断面形状であり、回転することにより周面１９ｂが上下動する回転体であっても、回転体の周面上に停留している遊技球Ｐが停留位置から流出しないようにすることができる。
つまり、円形以外の縦断面形状の回転体を使用することができるため、回転体が回転しているという実感を出すことができるので、演出効果を高めることができる。
（３）特に、回転体１９の回転中心１９ｇは偏心しているため、特徴のある動きをすることができる。
従って、回転体１９が回転しているという実感を強く出すことができるので、演出効果をより一層高めることができる。
【００３７】
（４）さらに、球受凹部材２０は、回転体１９の周面１９ｂに揺動可能に設けられているため、球受凹部材２０が遊技球Ｐを保持している状態を見易い。また、球受凹部材２０と空間Ｓ１との距離が近いため、周面１９ｂ上に支持されて空間Ｓ１で停留している遊技球Ｐが球受凹部材２０に受入れられるときの衝撃を和らげることができるので、球受凹部材２０が必要以上に揺動して遊技球Ｐの保持を失敗するおそれがない。
（５）回転体１９を覆うカバーを使用しなくても、球受凹部材２０に保持されている遊技球Ｐを落下させることなく、第３種始動口１３ｃまで運び、第３種始動口１３ｃへ流出させることができるため、大入賞口７２を確実に開閉させることができるので、大入賞口７２の開閉が不確実なことによる遊技者の不利益が発生するおそれがない。
（６）回転体１９の周囲が描く軌跡間の最大幅は、回転体１９の下方に備えられた特別電動役物７０の大入賞口７２の横幅を有するため、回転体１９の上方から大入賞口７２へ流下する遊技球Ｐの入賞経路を大入賞口７２の上方全域に亘って制限することができる。また、回転体１９の周囲が描く軌跡は左右に変化するため、回転体１９の回転に伴って入賞経路を制限する範囲が左右に変化するので、スリルのある遊技を楽しむことができる。
【００３８】
＜変更例＞
回転体の形状は、縦断面の形状が円形で回転中心が偏心したもの以外でも良く、例えば縦断面が複雑な形状であり、回転中心が偏心したものでも良い。図８は、その回転体を備えた回転入賞装置の正面説明図である。図８（Ａ）は回転体の開口部が真上を向いた状態を示し、図８（Ｂ）は回転体の開口部が右側を向いた状態を示し、図８（Ｃ）は回転体の開口部が右斜め下を向いた状態を示し、図８（Ｄ）は回転体の球受凹部材と第３種始動口とが重なった状態を示し、図８（Ｅ）は回転体の開口部が左側を向いた状態を示し、図８（Ｆ）は回転体の開口部が左斜め上を向いた状態を示す。
回転入賞措置１０ａに備えられた回転体２１は、径方向へ突出した突出部を３つ備えており、その１つに開口部２１ａが形成されており、その開口部２１ａの下方の空間に球受凹部材２０が揺動自在に収容されている。このように回転体２１は、前述の回転体１９と比べて複雑な形状であるが、検知ローラ１８ｄは回転体２１の周面を倣うように回転し、その検知ローラ１８ｄの昇降に伴って球停留部材１８ａ，１８ｂも昇降する。従って、球停留部材１８ａ，１８ｂ間に停留している遊技球Ｐは、停留状態が維持され、開口部２１ａが真上を向いたときに開口部２１ａに受入れられ、球受凹部材２０により保持され、第３種始動口１３ｃまで運ばれる。
【００３９】
また、回転体２１の周囲が描く軌跡の最大幅は、大入賞口７２の幅を有するため、回転体２１の上方から大入賞口７２への入賞経路を大入賞口７２の上方全域に亘って制限することができる。また、回転体２１の周囲が描く軌跡は複雑に変化するため、回転体２１の回転に伴って入賞経路を制限する範囲が複雑に変化するので、非常に変化に富んだ遊技を楽しむことができる。
このように、比較的複雑な形状の回転体２１を使用した場合であっても、本願発明の目的を達成することができる。なお、この変更例のパチンコ機は、回転体２１の構造以外は、前述の実施形態と同じ構造および機能であるため、実施形態の効果（１）〜（７）と同じ効果を奏することができる。
【００４０】
＜他の実施形態＞
（１）回転体の形状は、実施形態および変更例に記載の形状に限定されるものでなく、縦断面の形状が正方形、長方形、三角形などの多角形などでも良い。また、実施形態およびその変更例において、回転体の周面は滑らかな形状でなくても良く、空間Ｓ１に停留している遊技球Ｐが離脱しない範囲で凹凸形状でも良い。
（２）実施形態および変更例において記載した部材および装置の形状、大きさおよび組合せは、本発明の技術的範囲を逸脱しない限り、変更できることは勿論である。
（３）実施形態および変更例における回転入賞装置は、特別図柄を変動表示する特別図柄表示装置と、この特別図柄表示装置により大当り図柄が確定表示されたときに大入賞口を開口する変動入賞装置とを備え、大入賞口の開口から閉口までを１ラウンドとした場合に、所定数のラウンドを継続して行うことができるパチンコ機（いわゆる第１種パチンコ機）などにも使用することができ、適用機種は問わない。
【００４１】
［各請求項と実施形態との対応関係］
球受凹部材２０が請求項１の揺動部材に対応し、第３種始動口１３ｃが流出口に対応する。球停留部材１８ａ，１８ｂが請求項２の部材に対応する。大入賞口７２が請求項４の入賞口に対応し、特別電動役物７０が入賞装置に対応する。
【図面の簡単な説明】
【００４２】
【図１】この発明の実施形態に係るパチンコ機の外観を正面から見た説明図である。
【図２】図１に示すパチンコ機に備えられた遊技盤を正面から見た概略説明図である。
【図３】回転入賞装置１０の分解斜視図である。
【図４】図３に示す回転入賞装置の完成斜視図である。
【図５】図５は、回転体の姿勢の一例を示す正面説明図および縦断面図である。図５（Ａ）は図４の正面説明図であり、図５（Ｂ）は図５（Ａ）のＡ−Ａ線矢視縦断面説明図である。図５（Ｃ）は回転体の開口部が真下を向いた状態の正面説明図であり、図５（Ｄ）は図５（Ｃ）のＢ−Ｂ線矢視断面説明図である。
【図６】図６は、回転体の姿勢の変化を示す説明図である。図６（Ａ）は回転体の開口部が真上を向いた状態を示し、図６（Ｂ）は回転体の開口部が右側を向いた状態を示し、図６（Ｃ）は回転体の開口部が真下を向いた状態を示し、図６（Ｄ）は回転体の保持部が第３種始動口と重なった状態を示す。
【図７】パチンコ機１の主な電気的構成をブロックで示す説明図である。
【図８】図８は、変更例の回転体を備えた回転入賞装置の正面説明図である。図８（Ａ）は回転体の開口部が真上を向いた状態を示し、図８（Ｂ）は回転体の開口部が右側を向いた状態を示し、図８（Ｃ）は回転体の開口部が右斜め下を向いた状態を示し、図８（Ｄ）は回転体の球受凹部材と第３種始動口とが重なった状態を示し、図８（Ｅ）は回転体の開口部が左側を向いた状態を示し、図８（Ｆ）は回転体の開口部が左斜め上を向いた状態を示す。
【図９】従来の権利物タイプのパチンコ機に備えられた遊技盤の正面説明図である。
【図１０】図９に示すパチンコ機に備えられた回転入賞装置の正面拡大図である。
【符号の説明】
【００４３】
１    パチンコ機
１０    回転入賞装置
１３ｃ  第３種始動口（流出口）
１８ａ，１８ｂ  球停留部材（部材）
１９    回転体
１９ａ  開口部
１９ｂ  周面
２０    球受凹部材（揺動部材）
７０    特別電動役物（入賞装置）
７２    大入賞口（入賞口）
Ｐ    遊技球
Ｓ１    空間
【図１】
2006149827.tif 000003
【図２】
2006149827.tif 000004
【図３】
2006149827.tif 000005
【図４】
2006149827.tif 000006
【図５】
2006149827.tif 000007
【図６】
2006149827.tif 000008
【図７】
2006149827.tif 000009
【図８】
2006149827.tif 000010
【図９】
2006149827.tif 000011
【図１０】
2006149827.tif 000012